(57)【要約】      （修正有）【課題】複数の取引を処理する場合の使用者の待ち時間を短縮する。【解決手段】貨幣処理装置は、入金口に投入された貨幣を受け入れる受入部１０２と、貨幣を識別する識別部１０４と、貨幣を一時保留する一時保留部１０６と、貨幣を収納する収納部１０８と、入金処理において、受入部１０２、識別部１０４、一時保留部１０６、収納部１０８の制御を行う制御部１２０と、を備えている。制御部１２０は、入金処理としての第１処理に続く第２処理とを連続して実行する連続処理において、第１処理を実行し、第１処理の入金処理が完了した後に、第２処理を実行する通常モードと、入金処理としての第１処理を途中まで実行し、第１処理の入金処理を中断した後に、第２処理を実行し、第２処理が完了した後に、第１処理入金処理を再開する割込モードと、を選択する。【選択図】図２
2010170175.tif 000002
【特許請求の範囲】
【請求項１】
入金口に投入された貨幣を受け入れる受入部と、
前記受入部によって受け入れられた貨幣を識別する識別部と、
前記識別部によって識別された貨幣を一時保留する一時保留機構及び一時保留された貨幣を繰り出す繰出機構を有する一時保留部と、
前記一時保留部から繰り出された貨幣を収納する収納機構を有する収納部と、
入金処理において、前記受入部によって受け入れられた貨幣を、前記識別部を通して前記一時保留部に一時保留し、前記一時保留部に一時保留された貨幣を前記収納部に収納する制御を行う制御部と、を備え、
前記制御部は、第１処理としての入金処理と、前記第１処理としての入金処理に続く第２処理とを連続して実行する連続処理において、前記第１処理としての入金処理を実行し、前記第１処理としての入金処理が完了した後に、前記第２処理を実行する通常モードと、前記第１処理としての入金処理を途中まで実行し、前記第１処理としての入金処理を中断した後に、前記第２処理を実行し、前記第２処理が完了した後に、前記第１処理としての入金処理を再開する割込モードと、を選択することを特徴とする貨幣処理装置。
【請求項２】
ユーザの指示を受け付ける操作部をさらに備え、
前記制御部は、前記操作部によって前記連続処理の指示が受け付けられた場合に前記割込モードを選択し、前記第１処理としての入金処理において、前記投入口に投入された貨幣を前記一時保留部に一時保留した後に、前記第１処理としての入金処理を中断する請求項１に記載の貨幣処理装置。
【請求項３】
ユーザの指示を受け付ける操作部をさらに備え、
前記制御部は、個別処理としての入金処理において、前記受入部による貨幣の受入が開始してから前記一時保留部への貨幣の一時保留が完了するまでの間に、前記操作部によって前記第２処理の指示が受け付けられた場合に、前記割込モードを選択し、前記投入口に投入された貨幣を前記一時保留部に一時保留した後に、前記第１処理を中断する請求項１に記載の貨幣処理装置。
【請求項４】
ユーザの指示を受け付ける操作部をさらに備え、
前記制御部は、個別処理としての入金処理において、前記一時保留部による貨幣の繰出が開始してから前記収納部への貨幣の収納が完了するまでの間に、前記操作部によって前記第２処理の指示が受け付けられた場合に、前記割込モードを選択し、前記前記一時保留による貨幣の繰出を中断する請求項１に記載の貨幣処理装置。
【請求項５】
ユーザの指示を受け付ける操作部をさらに備え、
前記制御部は、前記操作部によって受け付けられた日、曜日、及び開始時刻と終了時刻との組み合わせの少なくとも１つに基づいて、前記通常モード又は前記割込モードを選択する請求項１に記載の貨幣処理装置。
【請求項６】
前記制御部は、前記識別部によって識別された貨幣の合計枚数が所定枚数以上である場合に、前記割込モードを選択する請求項１に記載の貨幣処理装置。
【請求項７】
前記入金口に投入された貨幣の合計枚数を計数する投入枚数計数部をさらに備え、
前記制御部は、前記投入枚数計数部の計数結果が所定枚数以上である場合に、前記割込モードを選択する請求項１に記載の貨幣処理装置。
【請求項８】
前記制御部によって行われた処理の履歴を示す履歴情報を記憶する記憶部をさらに備え、
前記制御部は、前記記憶部に記憶された履歴情報に基づいて、前記通常モード又は前記割込モードを選択する請求項１に記載の貨幣処理装置。
【請求項９】
前記第２処理は、入金処理である請求項１乃至８の何れか１項に記載の貨幣処理装置。
【請求項１０】
前記一時保留部は、内部を複数の領域に仕切る可動式のセパレータをさらに有する請求項９に記載の貨幣処理装置。
【請求項１１】
前記収納部は、収納された貨幣を繰り出す繰出機構をさらに有し、
前記第２処理は、出金処理であり、
前記制御部は、前記出金処理において、前記収納部に収納された貨幣を繰り出して出金口に搬送する請求項１乃至１０の何れか１項に記載の貨幣処理装置。
【発明の詳細な説明】
【技術分野】
【０００１】
本発明は、貨幣処理装置に関し、特に、入金機能を有する貨幣処理装置に関する。
【背景技術】
【０００２】
入金機能及び出金機能を備えた貨幣処理装置は、入金口に投入された貨幣を収納部に収納する入金処理と、収納部に収納された貨幣を出金口から出金する出金処理と、を行うものである。
【０００３】
このような貨幣処理装置として、入出金口に投入された貨幣を一時保留する一時保留部を備え、ユーザが入金確定の指示を行った場合には一時保留部に一時保留された貨幣を繰り出して収納部に搬送し、ユーザが入金取消の指示を行った場合には一時保留部に一時保留された貨幣を繰り出して返却口に搬送する貨幣処理装置が知られている（特許文献１を参照）。
【０００４】
しかしながら、この貨幣処理装置では、複数の処理を連続して実行する（例えば、入金処理の後に入金処理を実行する）場合に問題がある。具体的には、この貨幣処理装置では、ユーザが入出金口に投入した全ての貨幣が収納部に収納されたときに第１処理（入金処理）を完了し、第１処理（入金処理）が完了した後に第２処理（入金処理）を受け付けるようになっている。従って、第１処理（入金処理）において一時保留された貨幣が収納部に収納されるまで第２処理（入金処理）が実行されない。その結果、処理が開始するまでの使用者の待ち時間が長くなるという問題がある。
【０００５】
また、この貨幣処理装置では、入金処理の後に出金処理を実行する場合にも同様の問題がある。
【特許文献１】特開平１１−２１９４６６号公報
【発明の開示】
【発明が解決しようとする課題】
【０００６】
本発明は、このような点を考慮してなされたものであり、複数の取引を処理する場合の使用者の待ち時間を短縮するための貨幣処理装置を提供することを目的とする。
【課題を解決するための手段】
【０００７】
本発明によれば、
入金口に投入された貨幣を受け入れる受入部と、
前記受入部によって受け入れられた貨幣を識別する識別部と、
前記識別部によって識別された貨幣を一時保留する一時保留機構及び一時保留された貨幣を繰り出す繰出機構を有する一時保留部と、
前記一時保留部から繰り出された貨幣を収納する収納機構を有する収納部と、
入金処理において、前記受入部によって受け入れられた貨幣を、前記識別部を通して前記一時保留部に一時保留し、前記一時保留部に一時保留された貨幣を前記収納部に収納する制御を行う制御部と、を備え、
前記制御部は、第１処理としての入金処理と、前記第１処理としての入金処理に続く第２処理とを連続して実行する連続処理において、前記第１処理としての入金処理を実行し、前記第１処理としての入金処理が完了した後に、前記第２処理を実行する通常モードと、前記第１処理としての入金処理を途中まで実行し、前記第１処理としての入金処理を中断した後に、前記第２処理を実行し、前記第２処理が完了した後に、前記第１処理としての入金処理を再開する割込モードと、を選択することを特徴とする貨幣処理装置が提供される。
【０００８】
本発明において、
ユーザの指示を受け付ける操作部をさらに備え、
前記制御部は、前記操作部によって前記連続処理の指示が受け付けられた場合に前記割込モードを選択し、前記第１処理としての入金処理において、前記投入口に投入された貨幣を前記一時保留部に一時保留した後に、前記第１処理としての入金処理を中断することが好ましい。
【０００９】
本発明において、
ユーザの指示を受け付ける操作部をさらに備え、
前記制御部は、個別処理としての入金処理において、前記受入部による貨幣の受入が開始してから前記一時保留部への貨幣の一時保留が完了するまでの間に、前記操作部によって前記第２処理の指示が受け付けられた場合に、前記割込モードを選択し、前記個別処理としての入金処理において、前記投入口に投入された貨幣を前記一時保留部に一時保留した後に、前記第１処理を中断することが好ましい。
【００１０】
本発明において、
ユーザの指示を受け付ける操作部をさらに備え、
前記制御部は、個別処理としての入金処理において、前記一時保留部による貨幣の繰出が開始してから前記収納部への貨幣の収納が完了するまでの間に、前記操作部によって前記第２処理の指示が受け付けられた場合に、前記割込モードを選択し、前記個別処理としての入金処理において、前記一時保留による貨幣の繰出を中断することが好ましい。
【００１１】
本発明において、
ユーザの指示を受け付ける操作部をさらに備え、
前記制御部は、前記操作部によって受け付けられた日、曜日、及び開始時刻と終了時刻との組み合わせの少なくとも１つに基づいて、前記通常モード又は前記割込モードを選択することが好ましい。
【００１２】
本発明において、
前記制御部は、前記識別部によって識別された貨幣の合計枚数が所定枚数以上である場合に、前記割込モードを選択することが好ましい。
【００１３】
本発明において、
前記入金口に投入された貨幣の合計枚数を計数する投入枚数計数部をさらに備え、
前記制御部は、前記投入枚数計数部の計数結果が所定枚数以上である場合に、前記割込モードを選択することが好ましい。
【００１４】
本発明において、
前記制御部によって行われた処理の履歴を示す履歴情報を記憶する記憶部をさらに備え、
前記制御部は、前記記憶部に記憶された履歴情報に基づいて、前記通常モード又は前記割込モードを選択することが好ましい。
【００１５】
本発明において、
前記第２処理は、入金処理であることが好ましい。
【００１６】
本発明において、
前記一時保留部は、内部を複数の領域に仕切る可動式のセパレータをさらに有することが好ましい。
【００１７】
本発明において、
前記収納部は、収納された貨幣を繰り出す繰出機構をさらに有し、
前記第２処理は、出金処理であり、
前記制御部は、前記出金処理において、前記収納部に収納された貨幣を繰り出して出金口に搬送することが好ましい。
【発明の効果】
【００１８】
本発明によれば、複数の取引を処理する場合の使用者の待ち時間を短縮することができる。
【発明を実施するための最良の形態】
【００１９】
以下、本発明の実施形態について図面を参照して説明する。
【００２０】
本発明の実施形態に係る紙幣処理装置の構成について図１乃至図５を参照して説明する。図１は、本発明の実施形態に係る紙幣処理装置の構成を示す概略図である。図２は、本発明の実施形態に係る紙幣処理装置の制御機能を示すブロック図である。図３は、図２に示す識別情報１４０ｂの概略を示す概略図である。図４は、図２に示す設定情報１４０ｃの概略を示す概略図である。図５Ａ乃至図５Ｃは、本発明の実施形態に係る紙幣処理装置の搬送経路を示す概略図である。
【００２１】
図１に示すように、紙幣処理装置は、受入部１０２と、識別部１０４と、一時保留部１０６と、収納部１０８と、整理用一時保留部１１０と、入金リジェクト部１１２と、出金リジェクト部１１４と、を備えている。これらの各部は、搬送路に沿って設けられている。また、図２に示すように、紙幣処理装置は、図１に示す構成に加えて、投入枚数計数部１１６と、操作部１１８と、制御部１２０と、記憶部１４０と、を備えている。
【００２２】
受入部１０２は、ユーザが紙幣を投入するための入金口と、入金口に投入された紙幣を１枚ずつ機内に受け入れる受入機構と、表裏を揃える動作のために紙幣を集積する集積機構と、集積された紙幣を繰り出す繰出機構と、機外に紙幣を出金するための出金口と、を備えている。すなわち、受入部１０２は、入金口と、集積機構と、出金口と、を兼ねている。なお、本発明の実施形態では、受入部１０２は、入金口と出金口とが一体的に構成されているが、入金口と出金口とをそれぞれ別に備えていてもよい。
【００２３】
識別部１０４は、受入部１０２によって受け入れられた紙幣の属性（表裏、金種）を検知する検知センサと、枚数を計数するカウンタと、を備えている。また、識別部１０４は、識別結果（属性毎の枚数）を制御部１２０に送信するように構成されている。
【００２４】
一時保留部１０６は、識別部１０４によって識別された紙幣を一時保留する一時保留機構と、一時保留された紙幣を繰り出す繰出機構と、内部を複数の領域に仕切る可動式のセパレータ１０６ａと、を備えている。
【００２５】
収納部１０８は、識別部１０４によって所定金種（例えば、カセット１０８ａ乃至１０８ｃに対応する金種）であることが識別された紙幣（以下、「正常紙幣」という）を金種別に収納するカセット１０８ａ乃至１０８ｃと、複数の金種を一括して収納するカセット１０８ｄと、を備えている。なお、各カセット１０８ａ乃至１０８ｃには、収納された紙幣を１枚ずつ繰り出す繰出機構が設けられているが、カセット１０８ｄには、繰出機構が設けられていない。すなわち、各カセット１０８ａ乃至１０８ｃは、紙幣の収納及び繰出ができるように構成されているが、カセット１０８ｄは、収納はできるが、繰出しができないように構成されている。また、ユーザは、操作部１１８を用いて、カセット１０８ａ乃至１０８ｃに対応する金種を変更することができる。なお、本発明の実施形態では、カセット１０８ｄに繰出機構が設けられていない例について説明したが、これに限られるものではない。カセット１０８ｄにも繰出機構が設けられ、カセット１０８ｄが、紙幣を機外に排出したり、再度繰り出して収納ができるように構成されてもよい。
【００２６】
整理用一時保留部１１０は、紙幣に帯封を施して結束する結束部（図示せず）に接続され、所定枚数（例えば、１００枚）の紙幣を一時保留する一時保留機構と、一時保留された所定枚数の紙幣を結束部に繰り出す繰出機構と、を備えている。
【００２７】
入金リジェクト部１１２は、入金処理中のリジェクト要因（例えば、カセット１０８ａ乃至１０８ｃに対応しない金種、識別異常、搬送異常）を含む紙幣（以下、「入金リジェクト紙幣」という）及び入金が取り消されたときに一時保留部１０６から繰り出された紙幣（以下、「返却紙幣」という）を集積するように構成されている。
【００２８】
出金リジェクト部１１４は、出金処理中のリジェクト要因（例えば、識別異常、搬送異常）を含む紙幣（以下、「出金リジェクト紙幣」という）を集積するように構成されている。
【００２９】
投入枚数計数部１１６は、入金口に投入された紙幣の合計枚数を計数するカウンタを備えている。また、投入枚数計数部１１６は、カウンタの計数結果を制御部１２０に送信するように構成されている。
【００３０】
操作部１１８は、ユーザの指示を受け付けるための複数のキーと、所定画面を表示するためのディスプレイと、を備えている。また、操作部１１８は、ユーザの指示を制御部１２０に送信するように構成されている。
【００３１】
制御部１２０は、操作部１１８から送信されたユーザの指示に基づいて、記憶部１４０に記憶された制御プログラム１４０ａを起動して、受入部１０２、識別部１０４、一時保留部１０６、収納部１０８、整理用一時保留部１１０、入金リジェクト部１１２、出金リジェクト部１１４、投入枚数計数部１１６、及び操作部１１８を制御するように構成されている。また、制御部１２０は、識別部１０４から送信された識別結果に基づいて、識別情報１４０ｂを記憶部１４０に書き込むように構成されている。また、制御部１２０は、操作部１１８から送信されたユーザの指示に基づいて、設定情報１４０ｃを記憶部１４０に書き込むように構成されている。
【００３２】
記憶部１４０は、制御プログラム１４０ａ、識別情報１４０ｂ、設定情報１４０ｃ、履歴情報１４０ｄ、及びその他の様々なデータを記憶するように構成されている。制御プログラム１４０ａは、制御部１２０のための制御プログラムである。図３に示すように、識別情報１４０ｂは、属性毎の枚数を含む情報である。図４に示すように、設定情報１４０ｃは、枚数設定（合計枚数設定、表裏枚数設定、金種枚数設定、投入枚数設定）、処理設定（個別処理、連続処理）、モード設定（通常モード、割込モード）、及び予約設定（日付、曜日、時刻）を含む情報である。ここで、個別処理は、１つの処理（入金処理又は出金処理）を実行するときに設定され、連続処理は、複数の処理を連続して実行するときに設定される。以下、連続処理において、最初に実行される処理を第１処理といい、第１処理に続いて実行される処理を第２処理という。履歴情報１４０ｄは、制御部１２０によって行われた処理の履歴（日時毎の処理の量）を示す情報である。
【００３３】
図５Ａは、受入部１０２によって受け入れられた紙幣が一時保留部１０６に一時保留されるときの搬送経路を示している。入金口に投入された紙幣は、受入部１０２によって１枚ずつ機内に受け入れられ、識別部１０４によって識別され、正常紙幣が一時保留部１０６に一時保留され（矢印１）、入金リジェクト紙幣が入金リジェクト部１１２に集積される（矢印２）。
【００３４】
図５Ｂは、一時保留部１０６に一時保留された紙幣が収納部１０８に収納されるときの搬送経路を示している。一時保留部１０６に一時保留された紙幣は、入金が確定したときにはカセット１０８ａ乃至１０８ｃの何れかに金種別に収納され（矢印１）、入金が確定しなかったときには入金リジェクト部１１２に集積される（矢印２）。
【００３５】
図５Ｃは、出金処理の搬送経路を示している。カセット１０８ａ乃至１０８ｃから繰り出された紙幣は、識別部１０４によって識別され、識別部１０４の識別結果が正常紙幣であれば、出金口に搬送され（矢印１）、出金リジェクト紙幣であれば出金リジェクト部１１４に集積される（矢印２）。
【００３６】
本発明の実施形態に係る通常モードの連続処理について図６乃至図８を参照して説明する。図６は、本発明の実施形態に係る通常モードの連続処理の手順を示すフローチャートである。図７は、図６に示す入金処理（Ｓ６０２及びＳ６０４）の手順を示すフローチャートである。図８は、図６に示す出金処理（Ｓ６０５）の手順を示すフローチャートである。
【００３７】
図６に示す本発明の実施形態に係る通常モードの連続処理は、図４に示す設定情報１４０ｃの処理設定が連続処理（通常モード）である場合に行われる。
【００３８】
図６に示すように、本発明の実施形態に係る通常モードの連続処理では、はじめに、指示受付工程（Ｓ６０１）が行われる。指示受付工程（Ｓ６０１）では、制御部１２０が、操作部１１８から送信されたユーザの指示を受け付ける。制御部１２０がユーザの指示を受け付けることによって、連続処理の内容が確定する。ユーザの指示は、連続処理の処理内容（２つの入金処理を連続して行う連続処理又は入金処理及び出金処理を連続して行う連続処理）の指示を含んでいる。
【００３９】
次に、図６に示すように、第１処理としての入金処理（Ｓ６０２）が行われる。ここで、入金処理（Ｓ６０２）について説明する。
【００４０】
図７に示すように、入金処理（Ｓ６０２）では、はじめに、受入工程（Ｓ７０１）が行われる。受入工程（Ｓ７０１）では、制御部１２０が、入金口に投入された紙幣を１枚ずつ受け入れるように、受入部１０２の受入機構を制御する。
【００４１】
次に、図７に示すように、識別工程（Ｓ７０２）が行われる。識別工程（Ｓ７０２）では、制御部１２０が、受入工程（Ｓ７０１）において受け入れられた紙幣の属性を識別するように識別部１０４を制御し、識別部１０４から送信された識別結果に基づいて、識別情報１４０ｂを記憶部１４０に書き込む。
【００４２】
次に、図７に示すように、正常紙幣である場合には（Ｓ７０３−ＹＥＳ）、一時保留工程（Ｓ７０４）が行われ、入金リジェクト紙幣である場合には（Ｓ７０３−ＮＯ）、入金リジェクト工程（Ｓ７０５）が行われる。
【００４３】
図７に示すように、一時保留工程（Ｓ７０４）では、制御部１２０が、正常紙幣を一時保留部１０６に一時保留するように搬送路を制御する。
【００４４】
図７に示すように、入金リジェクト工程（Ｓ７０５）では、制御部１２０が、入金リジェクト紙幣を入金リジェクト部１１２に集積するように搬送路を制御する。
【００４５】
次に、図７に示すように、入金が確定した場合には（Ｓ７０６−ＹＥＳ）、収納工程（Ｓ７０７）が行われ、入金が取り消された場合には（Ｓ７０６−ＮＯ）、返却工程（Ｓ７０８）が行われる。例えば、ユーザが、操作部１１８を用いて入金確定の指示を行った場合に入金が確定し、入金取消の指示を行った場合に入金が取り消される。
【００４６】
図７に示すように、収納工程（Ｓ７０７）では、制御部１２０が、一時保留された紙幣を繰り出すように一時保留部１０６の繰出機構を制御し、繰り出された紙幣を収納部１０８に収納するように搬送路を制御する。
【００４７】
一方、図７に示すように、返却工程（Ｓ７０８）では、制御部１２０が、一時保留された紙幣を繰り出すように一時保留部１０６の繰出機構を制御し、繰り出された紙幣を入金リジェクト部１１２に集積するように搬送路を制御する。
【００４８】
図７に示すように、入金処理（Ｓ６０２）は、収納工程（Ｓ７０７）又は返却工程（Ｓ７０８）の後に完了する。
【００４９】
次に、図６に示すように、指示受付工程（Ｓ６０１）において受け付けられた指示において、第２処理が入金処理である場合には（Ｓ６０３−ＹＥＳ）、第２処理としての入金処理（Ｓ６０４）が行われ、第２処理が出金処理である場合には（Ｓ６０３−ＮＯ）、第２処理としての出金処理（Ｓ６０５）が行われる。入金処理（Ｓ６０４）は、入金処理（Ｓ６０２）と同様に行われる（図７を参照）。ここで、出金処理（Ｓ６０５）について説明する。
【００５０】
はじめに、図８に示すように、出金処理（Ｓ６０５）では、繰出工程（Ｓ８０１）が行われる。繰出工程（Ｓ８０１）では、制御部１２０が、カセット１０８ａ乃至１０８ｃに収納された紙幣を繰り出すように収納部１０８の繰出機構を制御する。
【００５１】
次に、図８に示すように、識別工程（Ｓ８０２）が行われる。識別工程（Ｓ８０２）では、制御部１２０が、繰出工程（Ｓ８０１）において繰り出された紙幣の属性を識別するように識別部１０４を制御し、識別部１０４から送信された識別結果に基づいて、識別情報１４０ｂを記憶部１４０に書き込む。
【００５２】
次に、図８に示すように、正常紙幣である場合には（Ｓ８０３−ＹＥＳ）、出金工程（Ｓ８０４）が行われ、出金リジェクト紙幣である場合には（Ｓ８０３−ＮＯ）、出金リジェクト工程（Ｓ８０５）が行われる。
【００５３】
図８に示すように、出金工程（Ｓ８０４）では、制御部１２０が、正常紙幣を出金口（図示せず）に搬送するように搬送路を制御する。
【００５４】
図８に示すように、出金リジェクト工程（Ｓ８０５）では、制御部１２０が、出金リジェクト紙幣を出金リジェクト部１１４に搬送するように搬送路を制御する。
【００５５】
図８に示すように、図６に示す出金処理（Ｓ６０５）は、出金工程（Ｓ８０４）又は出金リジェクト工程（Ｓ８０５）の後に完了する。
【００５６】
図６に示すように、本発明の実施形態に係る通常モードの連続処理は、第２処理としての入金処理（Ｓ６０４）又は出金処理（Ｓ６０５）の後に完了する。
【００５７】
本発明の実施形態に係る割込モードの連続処理について図９及び図１０を参照して説明する。図９は、本発明の実施形態に係る割込モードの連続処理の手順を示すフローチャートである。図１０は、図９に示す中断前の入金処理（Ｓ９０２）及び中断後の入金処理（Ｓ９０６）の手順を示すフローチャートである。
【００５８】
図９に示す本発明の実施形態に係る割込モードの連続処理は、図４に示す設定情報１４０ｃの処理設定が連続処理（割込モード）である場合に行われる。
【００５９】
図９に示すように、本発明の実施形態に係る割込モードの連続処理では、はじめに、指示受付工程（Ｓ９０１）が図６に示す指示受付工程（Ｓ６０１）と同様に行われる。
【００６０】
次に、図９に示すように、第１処理としての中断前の入金処理（Ｓ９０２）が行われる。ここで、中断前の入金処理（Ｓ９０２）について説明する。
【００６１】
図１０（Ａ）に示すように、中断前の入金処理（Ｓ９０２）では、受入工程（Ｓ１００１）、識別工程（Ｓ１００２）、正常紙幣か否かの判断（Ｓ１００３）、及び一時保留工程（Ｓ１００４）又は入金リジェクト工程（Ｓ１００５）が、図７に示す受入工程（Ｓ７０１）、識別工程（Ｓ７０２）、正常紙幣か否かの判断（Ｓ７０３）、及び一時保留工程（Ｓ７０４）又は入金リジェクト工程（Ｓ７０５）と同様に行われる。
【００６２】
次に、図１０（Ａ）に示すように、中断工程（Ｓ１００６）が行われる。中断工程（Ｓ１００６）では、制御部１２０が、一時保留部１０６の内部を複数の領域に仕切るようにセパレータ１０６ａを制御する。その結果、一時保留部１０６は、一時保留された紙幣が存在する第１領域（例えば、セパレータ１０６ａの下）と、紙幣が存在しない第２領域（例えば、セパレータ１０６ａの上）と、に仕切られる。
【００６３】
図１０（Ａ）に示すように、中断前の入金処理（Ｓ９０２）は、中断工程（Ｓ１００６）の後に完了する。すなわち、制御部１２０は、受入部１０２によって受け入れられた紙幣が一時保留部１０６に一時保留されるか、又は、入金リジェクト部１１２に集積されたときに、第１処理としての入金処理を中断する。
【００６４】
次に、図９に示すように、指示受付工程（Ｓ９０１）において受け付けられた指示において、第２処理が入金処理である場合には（Ｓ９０３−ＹＥＳ）、第２処理としての入金処理（Ｓ９０４）が図６に示す入金処理（Ｓ６０２）と同様に行われ（図７を参照）、第２処理が出金処理である場合には（Ｓ９０３−ＮＯ）、第２処理としての出金処理（Ｓ９０５）が図６に示す出金処理（Ｓ６０５）と同様に行われる（図８を参照）。ここで、第２処理としての入金処理（Ｓ９０４）では、図７に示す一時保留工程（Ｓ７０４）において、一時保留部１０６の第２領域（例えば、セパレータ１０６ａの上）に一時保留される。
【００６５】
第２処理としての入金処理（Ｓ９０４）又は出金処理（Ｓ９０５）の後に、図９に示すように、第１処理としての中断後の入金処理（Ｓ９０６）が行われる。ここで、中断後の入金処理（Ｓ９０６）について説明する。
【００６６】
図１０（Ｂ）に示すように、中断後の入金処理（Ｓ９０６）では、はじめに、再開工程（Ｓ１０１１）が行われる。再開工程（Ｓ１０１１）では、制御部１２０が、一時保留部の第１領域と第２領域とを統合するようにセパレータ１０６ａを制御する。
【００６７】
次に、図１０（Ｂ）に示すように、入金が確定した場合には（Ｓ１０１２−ＹＥＳ）、収納工程（Ｓ１０１３）が図７に示す収納工程（Ｓ７０７）と同様に行われ、入金が取り消された場合には（Ｓ１０１２−ＮＯ）、返却工程（Ｓ１０１４）が図７に示す返却工程（Ｓ７０８）と同様に行われる。
【００６８】
図１０（Ｂ）に示すように、中断後の入金処理（Ｓ９０６）は、収納工程（Ｓ１０１３）又は返却工程（Ｓ１０１４）の後に完了する。すなわち、制御部１２０は、第２処理としての入金処理（Ｓ９０４）又は出金処理（Ｓ９０５）が完了した後に、第１処理として行われた入金処理を再開する。
【００６９】
図９に示すように、本発明の実施形態に係る割込モードの連続処理は、中断後の入金処理（Ｓ９０６）の後に完了する。
【００７０】
本発明の実施形態の第１変形例について説明する。本発明の実施形態の第１変形例は、個別処理としての入金処理において、受入部１０２による紙幣の受入が開始してから一時保留部１０６への紙幣の一時保留が完了するまでの間に、連続処理の指示が受け付けられた場合の例である。
【００７１】
本発明の実施形態の第１変形例に係る連続処理について図１１を参照して説明する。図１１は、本発明の実施形態の第１変形例に係る個別処理としての入金処理の手順を示すフローチャートである。
【００７２】
図１１に示す本発明の実施形態の第１変形例に係る個別処理としての入金処理は、図４に示す設定情報１４０ｃの処理設定が個別処理である場合に行われる。
【００７３】
図１１に示すように、本発明の実施形態の第１変形例に係る個別処理としての入金処理では、受入工程（Ｓ１１０１）、識別工程（Ｓ１１０２）、正常紙幣か否かの判断（Ｓ１１０３）、及び一時保留工程（Ｓ１１０４）又は入金リジェクト工程（Ｓ１１０５）が、図７に示す受入工程（Ｓ７０１）、識別工程（Ｓ７０２）、正常紙幣か否かの判断（Ｓ７０３）、及び一時保留工程（Ｓ７０４）又は入金リジェクト工程（Ｓ７０５）と同様に行われる。ここで、制御部１２０は、受入工程（Ｓ１１０１）が開始してから一時保留工程（Ｓ１１０４）及び入金リジェクト工程（Ｓ１１０５）が完了するまでの間に、操作部１１８によって第２処理の指示が受け付けられたか否かを監視している。
【００７４】
一方、図１１に示すように、受入工程（Ｓ１１０１）が開始してから一時保留工程（Ｓ１１０４）及び入金リジェクト工程（Ｓ１１０５）が完了するまでの間に、操作部１１８によって第２処理の指示が受け付けられた場合には、中断工程（Ｓ１１１１）、第２処理としての入金処理又は出金処理（Ｓ１１１２）、及び第１処理としての中断後の入金処理（Ｓ１１１３）が、図１０（Ａ）に示す中断工程（Ｓ１００６）、図６に示す第２処理としての入金処理（Ｓ６０４）又は出金処理（Ｓ６０５）、及び図９に示す中断後の入金処理（Ｓ９０６）と同様に行われる。
【００７５】
次に、図１１に示すように、受入工程（Ｓ１１０１）が開始してから一時保留工程（Ｓ１１０４）及び入金リジェクト工程（Ｓ１１０５）が完了するまでの間に、操作部１１８によって第２処理の指示が受け付けられなかった場合又は中断後の入金処理（Ｓ１１１３）が完了した後に、入金が確定したか否かの判断（Ｓ１１０６）、及び収納工程（Ｓ１１０７）又は返却工程（Ｓ１１０８）が、図７に示す入金が確定したか否かの判断（Ｓ７０６）、及び収納工程（Ｓ７０７）又は返却工程（Ｓ７０８）と同様に行われる。
【００７６】
図１１に示すように、本発明の実施形態の第１変形例に係る個別処理としての入金処理は、収納工程（Ｓ１１０７）又は返却工程（Ｓ１１０８）の後に完了する。
【００７７】
本発明の実施形態の第２変形例に係る連続処理について図１２を参照して説明する。図１２は、本発明の実施形態の第２変形例に係る個別処理としての入金処理の手順を示すフローチャートである。
【００７８】
図１２に示す本発明の実施形態の第２変形例に係る個別処理としての入金処理は、図４に示す設定情報１４０ｃの処理設定が個別処理である場合に行われる。
【００７９】
図１２に示すように、本発明の実施形態の第２変形例に係る個別処理としての入金処理では、受入工程（Ｓ１２０１）、識別工程（Ｓ１２０２）、正常紙幣か否かの判断（Ｓ１２０３）、一時保留工程（Ｓ１２０４）又は入金リジェクト工程（Ｓ１２０５）、入金が確定したか否かの判断（Ｓ１２０６）、及び収納工程（Ｓ１２０７）又は返却工程（Ｓ１２０８）が、図７に示す受入工程（Ｓ７０１）、識別工程（Ｓ７０２）、正常紙幣か否かの判断（Ｓ７０３）、一時保留工程（Ｓ７０４）又は入金リジェクト工程（Ｓ７０５）、入金が確定したか否かの判断（Ｓ７０６）、及び収納工程（Ｓ７０７）又は返却工程（Ｓ７０８）と同様に行われる。ここで、制御部１２０は、収納工程（Ｓ１２０７）及び返却工程（Ｓ１２０８）の実行中に、操作部１１８によって第２処理の指示が受け付けられたか否かを監視している。
【００８０】
図１２に示すように、収納工程（Ｓ１２０７）及び返却工程（Ｓ１２０８）の実行中に、操作部１１８によって第２処理の指示が受け付けられた場合には、中断工程（Ｓ１２１１）が行われる。中断工程（Ｓ１２１１）では、制御部１２０は、一時保留部１０６から収納部１０８への紙幣の繰出を停止するように一時保留部１０６の繰出機構を制御する。
【００８１】
次に、図１２に示すように、第２処理としての入金処理又は出金処理（Ｓ１２１２）が図６に示す第２処理としての入金処理（Ｓ６０４）又は出金処理（Ｓ６０５）と同様に行われる。その後、収納工程（Ｓ１２０７）又は返却工程（Ｓ１２０８）を再開する。
【００８２】
図１２に示すように、本発明の実施形態の第２変形例に係る個別処理としての入金処理は、収納工程（Ｓ１２０７）又は返却工程（Ｓ１２０８）の後に完了する。
【００８３】
なお、上述した実施形態では、紙幣処理装置の例について説明したが、本発明の実施形態は、これに限られるものではなく、例えば、硬貨を取り扱う硬貨処理装置又は紙幣以外の媒体を取り扱う紙葉類処理装置にも同様に適用される。
【００８４】
すなわち、本発明の実施形態では、紙幣処理装置は、入金口に投入された紙幣を受け入れる受入部１０２と、受入部１０２によって受け入れられた紙幣を識別する識別部１０４と、識別部１０４によって識別された紙幣を一時保留する一時保留機構及び一時保留された紙幣を繰り出す繰出機構を有する一時保留部１０６と、一時保留部１０６から繰り出された紙幣を収納する収納機構を有する収納部１０８と、入金処理において、受入部１０２によって受け入れられた紙幣を、識別部１０４を通して一時保留部１０６に一時保留し、一時保留部１０６に一時保留された紙幣を収納部１０８に収納する制御を行う制御部１２０と、を備えている。制御部１２０は、第１処理としての入金処理と、第１処理としての入金処理に続く第２処理とを連続して実行する連続処理において、第１処理としての入金処理（Ｓ６０２）を実行し、第１処理としての入金処理（Ｓ６０２）が完了した後に、第２処理としての入金処理（Ｓ６０４）又は出金処理（Ｓ６０５）を実行する通常モードと、第１処理としての入金処理を途中まで実行し（中断前の入金処理（Ｓ９０２）を実行し）、第１処理としての入金処理を中断した後に、第２処理としての入金処理（Ｓ９０４）又は出金処理（Ｓ９０５）を実行し、第２処理としての入金処理（Ｓ９０４）又は出金処理（Ｓ９０５）が完了した後に、第１処理としての入金処理を再開する（中断後の入金処理（Ｓ９０６）を実行する）割込モードと、を選択するように構成されている。このような構成によれば、複数の取引を処理する場合の使用者の待ち時間を短縮することができる。
【００８５】
また、本発明の実施形態では、制御部１２０は、操作部１１８によって連続処理の指示が受け付けられて、図４に示す設定情報１０４ｃの処理設定に連続処理の割込モードが設定された場合に割込モードを選択するように構成されてもよい。このような構成によれば、操作部１１８を用いて割込モードの指示を入力するためのユーザの手間を省くことができる。
【００８６】
また、本発明の実施形態では、制御部１２０は、個別処理としての入金処理において、受入部１０２による紙幣の受入（受入工程（Ｓ１１０１）が開始してから一時保留部１０６への紙幣の一時保留（一時保留工程（Ｓ１１０４）又は入金リジェクト工程（Ｓ１１０５））が完了するまでの間に、操作部１１８によって第２処理の指示が受け付けられた場合に、割込モードを選択し、個別処理としての入金処理において、投入口に投入された紙幣を一時保留部１０６に一時保留した後に、第１処理を中断する（中断工程（Ｓ１１１１）を実行する）ように構成されてもよい。このような構成によれば、操作部１１８を用いて個別処理の指示をした後であっても、個別処理を停止することなく、割込モードの連続処理へ移行することができ、使用者の待ち時間を軽減することができる。
【００８７】
また、本発明の実施形態では、制御部１２０は、個別処理としての入金処理において、一時保留部１０６による紙幣の繰出が開始してから収納部１０８への紙幣の収納が完了するまでの間（収納工程（Ｓ１２０７）又は返却工程（Ｓ１２０８）の実行中）に、操作部１１８によって第２処理の指示が受け付けられた場合に、割込モードを選択し、個別処理としての入金処理において、一時保留による紙幣の繰出を中断する（中断工程（Ｓ１２１１）を実行する）ように構成されてもよい。このような構成によれば、操作部１１８を用いて個別処理の指示をした後であっても、個別処理を停止することなく、割込モードの連続処理へ移行することができ、使用者の待ち時間を軽減することができる。
【００８８】
また、本発明の実施形態では、制御部１２０は、操作部１１８によって受け付けられた日、曜日、及び開始時刻と終了時刻との組み合わせの少なくとも１つ（設定情報１４０ｃの予約設定）に基づいて、通常モード又は割込モードを選択するように構成されてもよい。このような構成によれば、操作部１１８を用いて割込モードの指示を入力するためのユーザの手間を省くことができ、且つ、ユーザの設定ミスを防止することができる。
【００８９】
また、本発明の実施形態では、制御部１２０は、識別部１０４によって識別された紙幣の合計枚数（識別情報１４０ｂの合計枚数）が所定枚数以上である場合に、割込モードを選択するように構成されてもよい。このような構成によれば、操作部１１８を用いて割込モードの指示を入力するためのユーザの手間を省くことができ、且つ、ユーザの設定ミスを防止することができる。
【００９０】
また、本発明の実施形態では、制御部１２０は、投入枚数計数部１１６の計数結果が所定枚数以上である場合に、割込モードを選択するように構成されてもよい。このような構成によれば、操作部１１８を用いて割込モードの指示を入力するためのユーザの手間を省くことができ、且つ、ユーザの設定ミスを防止することができる。
【００９１】
また、本発明の実施形態では、制御部１２０は、記憶部１４０に記憶された履歴情報１４０ｄに基づいて通常モード又は割込モードを選択するように構成されてもよい。例えば、制御部１２０は、操作部１１８によって個別処理又は連続処理の指示が受け付けられた日又は時刻に対応する履歴情報１４０ｄを参照し、履歴情報１４０ｄが示す処理の量が所定の閾値を超える場合（すなわち、過去に多くの処理が行われた日又は時刻に個別処理又は連続処理の指示が受け付けられた場合）に割込モードを選択する。なお、閾値は、予め定められた値であってもよいし、ユーザによって設定されてもよい。このような構成によれば、操作部１１８を用いて割込モードの指示や予約設定の指示を入力するためのユーザの手間を省くことができ、且つ、処理を行う日又は時刻において最適なモード設定を選択することができる。
【００９２】
また、本発明の実施形態では、一時保留部１０６は、内部を複数の領域に仕切る可動式のセパレータ１０６ａを備えてもよい。このような構成によれば、第１処理としての入金処理を途中で中断した（中断前の入金処理（Ｓ９０２）を実行した）後に第２処理としての入金処理（Ｓ９０４）において入金が取り消されて返却工程（Ｓ７０８）が行われた場合に、第１処理としての入金処理（中断前の入金処理（Ｓ９０２）の一時保留工程（Ｓ１００４）において一時保留部１０６に一時保留された紙幣を残したまま、第２処理としての入金処理（Ｓ９０４）の一時保留工程（Ｓ７０４）において一時保留部１０６に一時保留された紙幣のみを返却することができる。
【００９３】
上述した実施形態は、いずれも一例であって限定的なものではないと考えられるべきである。本発明の技術的範囲は、特許請求の範囲によって示され、特許請求の範囲と均等の意味および範囲内でのすべての変更が含まれることが意図される。
【図面の簡単な説明】
【００９４】
【図１】本発明の実施形態に係る紙幣処理装置の構成を示す概略図である。
【図２】本発明の実施形態に係る紙幣処理装置の制御機能を示すブロック図である。
【図３】図２に示す識別情報１４０ｂの概略を示す概略図である。
【図４】図２に示す設定情報１４０ｃの概略を示す概略図である。
【図５Ａ】本発明の実施形態に係る紙幣処理装置の搬送経路を示す概略図である。
【図５Ｂ】本発明の実施形態に係る紙幣処理装置の搬送経路を示す概略図である。
【図５Ｃ】本発明の実施形態に係る紙幣処理装置の搬送経路を示す概略図である。
【図６】本発明の実施形態に係る通常モードの連続処理の手順を示すフローチャートである。
【図７】図６に示す入金処理（Ｓ６０２及びＳ６０４）の手順を示すフローチャートである。
【図８】図８は、図６に示す出金処理（Ｓ６０５）の手順を示すフローチャートである。
【図９】本発明の実施形態に係る割込モードの連続処理の手順を示すフローチャートである。
【図１０】図９に示す中断前の入金処理（Ｓ９０２）及び中断後の入金処理（Ｓ９０６）の手順を示すフローチャートである。
【図１１】本発明の実施形態の第１変形例に係る個別処理としての入金処理の手順を示すフローチャートである。
【図１２】本発明の実施形態の第２変形例に係る個別処理としての入金処理の手順を示すフローチャートである。
【符号の説明】
【００９５】
１０２  受入部
１０４  識別部
１０６  一時保留部
１０６ａ  セパレータ
１０８  収納部
１０８ａ乃至１０８ｄ  カセット
１１０  整理用一時保留部
１１２  入金リジェクト部
１１４  出金リジェクト部
１１６  投入枚数計数部
１１８  操作部
１２０  制御部
１４０  記憶部
１４０ａ  制御プログラム
１４０ｂ  識別情報
１４０ｃ  設定情報
１４０ｄ  履歴情報
【図１】
2010170175.tif 000003
【図２】
2010170175.tif 000004
【図３】
2010170175.tif 000005
【図４】
2010170175.tif 000006
【図５Ａ】
2010170175.tif 000007
【図５Ｂ】
2010170175.tif 000008
【図５Ｃ】
2010170175.tif 000009
【図６】
2010170175.tif 000010
【図７】
2010170175.tif 000011
【図８】
2010170175.tif 000012
【図９】
2010170175.tif 000013
【図１０】
2010170175.tif 000014
【図１１】
2010170175.tif 000015
【図１２】
2010170175.tif 000016
【手続補正書】
【提出日】平成22年1月8日(2010.1.8)
【手続補正１】
【補正対象書類名】明細書
【補正対象項目名】００３４
【補正方法】変更
【補正の内容】
【００３４】
図５Ｂは、一時保留部１０６に一時保留された紙幣が収納部１０８に収納されるときの搬送経路を示している。一時保留部１０６に一時保留された紙幣は、入金が確定したときには識別部１０４によって識別され、識別部１０４による識別結果に基づいてカセット１０８ａ乃至１０８ｃの何れかに金種別に収納され（矢印１）、入金が確定しなかったときには入金リジェクト部１１２に集積される（矢印２）。
【手続補正２】
【補正対象書類名】図面
【補正対象項目名】図５Ｂ
【補正方法】変更
【補正の内容】
【図５Ｂ】
2010170175.tif 000017